(57)【特許請求の範囲】
【請求項１】
固定スリット保持体のスリットと、鎖錠桿案内部を介して装置内を出入りする鎖錠桿に取り付けられた移動スリット保持体のスリットとが重なっているときに、両スリットを通過する発光素子からの光量によりロック狂いを検出するロック狂い検出装置において、
前記鎖錠桿案内部と前記固定スリット保持体との間において前記鎖錠桿案内部へ向けて傾斜し、前記鎖錠桿の進入ごとに前記鎖錠桿の表面を擦る弾性のパッキン部を備える、
ロック狂い検出装置。
【請求項２】
請求項１に記載されたロック狂い検出装置であって、
前記パッキン部は、前記移動スリット保持体が取り付けられた表面を擦る、
ロック狂い検出装置。
【請求項３】
請求項１または２に記載されたロック狂い検出装置であって、
前記パッキン部は、前記鎖錠桿の表面を擦るへら部と、前記へら部を支持する平板状の基部とを含む、
ロック狂い検出装置。
【請求項４】
請求項３に記載されたロック狂い検出装置であって、
前記基部は、前記鎖錠桿の表面と対向する壁面に固定されている、
ロック狂い検出装置。
【請求項５】
請求項１乃至４に記載されたロック狂い検出装置であって、
前記パッキン部は、ゴムからなる、
ロック狂い検出装置。
【発明の詳細な説明】
【技術分野】
【０００１】
本発明は、転てつ機の鎖錠機構であるロックピースの位置ずれを検出するロック狂い検出器に関する。
【背景技術】
【０００２】
転てつ機は、トングレールを定位と反位の間で転換させるものであり、トングレールと連動機構を介して接続された動作桿及び鎖錠桿、これらの駆動源である駆動モータ、その駆動力を動作桿に伝達する伝達機構、鎖錠桿を鎖錠・解錠するロックピースなどを備えている。
【０００３】
転てつ機は、転換が終了したとき、鎖錠かんに設けられた切欠きにロックピースを挿入し、トングレールが基本レールから離れないように固定される。転てつ機は、ロックピースが切欠きに挿入されたとき、通常、ロックピースの左右にできる隙間の大きさが均等となるように、機械的な調整がなされている。これは、転換機構の部分的な歪みなどによって該隙間の大きさに偏りが生ずると、脱線の危険から転てつ機が転換不能となり得るからである。したがって、転てつ機には、この状態を事前に検出し、保守を促すためにロック狂い検出装置が設けられている。
【０００４】
ロック狂い検出装置は、特許文献１などに記載されているように、ケース内に検出部を配置した構造になっている。検出部は、固定スリット保持体、光センサを構成する発光素子、及び受光素子等を含んでいる。固定スリット保持体は、鎖錠桿に取り付けられた移動スリット保持体の移動を許容する空隙を有する。発光素子及び受光素子は、固定スリット保持体に設けられた移動スリット保持体用空隙の両側に、対向して配置されている。
【０００５】
ロック狂いの検出手法は、固定スリット保持体と、鎖錠桿に取り付けられた移動スリット保持体とが重なっているときに、両スリットを通過する光量を、受光素子によって検出する。そして、受光素子によって検出された光量が基準値よりも低い場合に、ロック狂いを生じたとして、警報が出力され、保守が必要であることを促す。
【０００６】
また、転てつ機の保守としては、屋外使用であるために定期的にグリースなどの潤滑剤を鎖錠桿等に塗布しておくことも必要となるが、鎖錠桿に塗布されたグリースの一部は、転てつ機の転換動作時に装置内部に引き込まれ、これがある程度蓄積されると、振動などの要因により移動し、移動スリット保持体、または固定スリット保持体のスリットを塞いでしまうことがある。このため、発光素子の光を受光素子が正常に受信できなくなり、ロック狂いの誤検出に至るという問題がある。
【先行技術文献】
【特許文献】
【０００７】
【特許文献１】特開２００２−２４８３号公報
【発明の概要】
【発明が解決しようとする課題】
【０００８】
本発明の課題は、誤検出を防止し得るロック狂い検出装置を提供することである。
【課題を解決するための手段】
【０００９】
上述した課題を解決するため、本発明に係るロック狂い検出装置は、固定スリット保持体のスリットと、鎖錠桿案内部を介して装置内を出入りする鎖錠桿に取り付けられた移動スリット保持体のスリットとが重なっているときに、両スリットを通過する発光素子からの光量によりロック狂いを検出するロック狂い検出装置において、鎖錠桿案内部と固定スリット保持体との間において鎖錠桿案内部へ向けて傾斜し、鎖錠桿の進入ごとに鎖錠桿の表面を擦る弾性のパッキン部を備える。
【００１０】
転てつ機の鎖錠桿は、前記鎖錠桿案内部を介して装置に出入りする。前記固定スリット保持体は、前記鎖錠桿に取り付けられた移動スリット保持体とともにロック狂いの検出に用いられる。
【００１１】
前記パッキン部は、弾性を備え、前記鎖錠桿案内部と前記固定スリット保持体の間に設けられて、先端を前記鎖錠桿案内部へ向けて傾斜している。そして、前記パッキン部の先端は、前記鎖錠桿の進入ごとに前記鎖錠桿の表面を擦る。
【００１２】
本発明に係るロック狂い検出装置は、転てつ機の鎖錠桿が出入りする鎖錠桿案内部と、鎖錠桿に取り付けられた移動スリット保持体とともにロック狂いの検出に用いられる固定スリット保持体の間に、特徴的なパッキン部が設けられている。
【００１３】
まず、このパッキン部の先端は、鎖錠桿の進入ごとに鎖錠桿の表面を擦るため、鎖錠桿の表面に塗布されたグリースなどの潤滑剤は、パッキン部に遮られて、固定スリット保持体、または移動スリット保持体が設けられた領域へ侵入することができない。
【００１４】
また、パッキン部は、弾性を備え、先端を鎖錠桿案内部へ向けて傾斜しているから、仮に、潤滑剤が、例えば転てつ機側の案内部から内部に侵入したとしても、鎖錠桿の進出時に、パッキン部が潤滑剤を鎖錠桿案内部へと導くように弾性変形して、この鎖錠桿案内部を介して潤滑剤を外部へと排出することができる。
【００１５】
したがって、本発明に係るロック狂い検出装置によれば、潤滑剤が固定スリット保持体、または移動スリット保持体のスリットを塞ぐことを抑制し、誤検出を防止し得る。
【発明の効果】
【００１６】
以上述べたように、本発明によれば、誤検出を防止し得るロック狂い検出装置を提供することができる。
【図面の簡単な説明】
【００１７】
【図１】本発明に係るロック狂い検出装置と転てつ機の上面図である。
【図２】図１の２−２線に沿った断面図である。
【図３】図１の３−３線に沿った断面図である。
【図４】図３の４−４線に沿った断面図である。
【図５】検出部の構造を示す側面図である。
【図６】検出部の電気的構成を示す回路図である。
【図７】パッキン部の斜視図である。
【図８】パッキン部の作用効果を描いた平面図である。
【図９】パッキン部の作用効果を描いた平面図である。
【発明を実施するための形態】
【００１８】
図１は、本発明に係るロック狂い検出装置と転てつ機の上面図である。ロック狂い検出装置１は、転てつ機２の側部に設けられている。
【００１９】
転てつ機１は、トングレール（図示省略）を定位と反位の間で転換させるものであり、トングレールと連動機構を介して接続された動作桿３及び鎖錠桿４ａ，４ｂ、これらの駆動源である駆動モータ２１、その駆動力を動作桿４ａ，４ｂに伝達する伝達機構を収納するケース２２、鎖錠桿４ａ，４ｂを鎖錠・解錠するロックピース５ａ，５ｂなどを備えている。このうち、鎖錠桿４ａ，４ｂは、一方の側面がロック狂い検出装置１の内部に面している。
【００２０】
ロック狂い検出装置１の内部構造は、図２〜図４に示されている。ロック狂い検出装置１は、鎖錠桿案内部１５３ａ，１５３ｂ，１５４ａ，１５４ｂと、検出部１０ａ，１０ｂと、パッキン部１４ａとを含む。ロック狂い検出装置１の各機構は、転てつ機２の鎖錠桿４ａ，４ｂと連動した作用効果を奏する。
【００２１】
鎖錠桿４ｂ，４ａは、それぞれ、定位と反位に対応して上下に配置されており、符号ｄ１及びｄ２に示される方向において、定位と反位の間で一体的に移動するように構成されている。
【００２２】
鎖錠桿４ａ，４ｂは、鎖錠桿案内部１５３ａ，１５３ｂ，１５４ａ，１５４ｂを介して、装置内に進入し、装置外へ進出する。鎖錠桿案内部１５３ａ，１５３ｂ，１５４ａ，１５４ｂは、ロック狂い検出装置１の筐体１５のうち、鎖錠桿４ａ，４ｂの出入口を構成する部位である。鎖錠桿４ａ，４ｂと鎖錠桿案内部１５３ａ，１５３ｂ，１５４ａ，１５４ｂの間には、およそ０．１（ｍｍ）程度の隙間が存在し、この隙間を介して、上述したように、鎖錠桿４ａ，４ｂに塗布されたグリースなどの潤滑剤が内部に向かって引き込まれる。
【００２３】
各鎖錠桿４ａ，４ｂは、転換完了時にロックピース５ａ，５ｂを挿入するための切欠き４１ａ，４１ｂが設けられている。トングレールが定位にある場合、上部鎖錠桿４ｂに設けられた切欠き４１ｂには、図３に実線で示されるように、上部ロックピース５ｂが挿入される。一方、トングレールが反位にある場合、下部鎖錠桿４ａに設けられた切欠き４１ａには、図３、あるいは図４に点線で示されるように、下部ロックピース５ａが挿入される。
【００２４】
検出部１０ａ，１０ｂは、移動スリット保持体４２ａ，４２ｂの位置に基づいて、このロックピース５ａ，５ｂと切欠き４１ａ，４１ｂの間に所定の間隔が形成されていることを検知する。
【００２５】
移動スリット保持体４２ａ，４２ｂは、螺子等の手段によって、筐体１５内に面した各鎖錠桿４ａ，４ｂの側面に取り付けられている。移動スリット保持体４２ａ，４２ｂは、定位と反位の間で一体的に移動し、転換完了時に、各々の対応する高さ位置に設けられた固定スリット保持体１１ａ，１１ｂと重なるように構成されている。この固定スリット保持体１１ａ，１１ｂは、検出部１０ａ，１０ｂに組み込まれている。
【００２６】
検出部１０ａ，１０ｂの構造は、図５に示されている。図５は、検出部１０ａの構造のみ示すが、検出部１０ｂも同様の構成を備えている。検出部１０ａは、固定スリット保持体１１ａと、取り付け部材１２ａ、１３ａと、発光素子１２１ａと、受光素子１３１ａとを含む。
【００２７】
固定スリット保持体１１ａは、断面視でコ字形状を有し、鎖錠桿４ａに取り付けられた移動スリット保持体４２ａの移動を許容する空隙Ｓ１０を有している。空隙Ｓ１０は、移動スリット保持体４２ａの移動方向に直線状に伸びており、その両端が開放されている。固定スリット保持体１１ａは、空隙Ｓ１０の両側の側壁を切り欠いて形成された一対のスリットＳ１１を有している。移動スリット保持体４２ａも、反位においてスリットＳ１１と重なるスリットＳ４２を有する。スリットＳ４２は、各鎖錠桿４ａ，４ｂの側面から水平に延びている。
【００２８】
発光素子１２１及び受光素子１３１は、例えば発光ダイオード及びフォトダイオードであり、空隙Ｓ１０の両側に配置されている。より具体的には、図３及び図４からも理解されるように、発光素子１２１及び受光素子１３１は、光軸がスリットＳ１１、Ｓ４２を通り、互いに一致するように配置されている。発光素子１２１及び受光素子１３１は、取り付け部材１２ａ、１３ａによって支持された基板１２３，１３３に固定されている。基板１２３，１３３の背面側には、カバー１２２、１３２が間隔を隔てて配置されており、この間隔内に絶縁樹脂１２４，１３４が充填されている。
【００２９】
検出部１０ａ，１０ｂ全体の電気的な構成は、図６に示されている。検出部１０ａ，１０ｂの各発光素子１２１ａ，１２１ｂは、直列接続され、電源に接続されている。一方、検出部１０ａ，１０ｂの各受光素子１３１ａ，１３１ｂは、直列接続され、受信した信号を増幅する増幅部に接続されている。
【００３０】
トングレールが定位にある場合、図示されるように、上部鎖錠桿４ｂの移動スリット保持体４２ｂは、上部固定スリット保持体１１ｂの空隙Ｓ１０に入り込んでおり、他方、下部鎖錠桿４ａの移動スリット保持体４２ａは、固定スリット保持体１１ａの空隙Ｓ１０から退出している。一方、トングレールが反位にある場合、上部鎖錠桿４ｂの移動スリット保持体４２ｂは、上部固定スリット保持体１１ｂの空隙Ｓ１０から退出しており、他方、下部鎖錠桿４ａの移動スリット保持体４２ａのスリットＳ４２は、固定スリット保持体１１ａの空隙Ｓ１０に入り込んでいる。
【００３１】
いずれの場合も、発光素子１２１ａ，１２１ｂと受光素子１３１ａ，１３１ｂの間において、それぞれ、光軸Ｌ１，Ｌ２に沿って光信号が送受信される。このような構成を備えることにより、検出部１０ａは、固定スリット保持体１１ａ，１１ｂのスリットＳ１１と、移動スリット保持体４２ａ，４２ｂのスリットＳ４２とが重なっているときに、両スリットＳ１１、Ｓ４２を通過する発光素子１２１ａ，１２１ｂからの光量を、受光素子１３１ａ，１３１ｂによって検出し、受光素子１３１ａ，１３１ｂによって検出された光量が基準値よりも低い場合に、ロック狂いを生じたとして、警報を出力することができる。
【００３２】
しかし、上述したように、グリースなどの潤滑剤が、固定スリット保持体１１ａ，１１ｂのスリットＳ１１、または移動スリット保持体４２ａ，４２ｂのスリットＳ４２にを塞いでしまうと、ロック狂い検出の警報を誤って出力してしまうことになる。
【００３３】
したがって、これを回避すべく、本願発明に係るロック狂い検出装置１には、特徴的なパッキン部１４ａ，１４ｂが設けられている。図７は、パッキン部１４ａ，１４ｂの斜視図である。
【００３４】
パッキン部１４ａ，１４ｂは、例えばゴムからなる弾性部材からなり、鎖錠桿４ａ，４ｂの表面を擦るへら部１４２と、へら部１４２を支持する平板状の基部１４１とを含む。基部１４１は、螺子孔１４４が設けられ、図４に示されるように、鎖錠桿案内部１５３ａと固定スリット保持体１１ａの間において、筐体１５内に設けられた窪み１５２の壁面に螺子Ｍで固定されている。図３に示すように、鎖錠桿案内部１５４ｂと固定スリット保持体の間１１ｂにも、同様にパッキン部１４ｂが設けられている。もっとも、パッキン部を、他の鎖錠桿案内部１５４ａ，１５３ｂの近傍に追加して設けても良い。
【００３５】
へら部１４２は、基部１４１のほぼ中央から延在し、その先端１４３を鎖錠桿案内部１５３ａへ向けて傾斜させるように形成されている。先端１４３は、移動スリット保持体４２ａ，４２ｂが取り付けられた鎖錠桿４ａ，４ｂの側面４３に当接している。このため、へら部１４２の先端１４３は、鎖錠桿案内部１５３ａを介して鎖錠桿４ａ，４ｂが進入するごとに、その側面４３を擦る。
【００３６】
したがって、へら部１４２は、図８に示されるように、鎖錠桿４ａが装置へ進入するとき（方向ｄ２参照。）、鎖錠桿４ａの側面４３に塗布されたグリースなどの潤滑剤６が装置内、とりわけ固定スリット保持体１１ａ近傍の領域に侵入することを阻止する。このため、スリットＳ１１、４２が潤滑剤６により塞がれて、発光素子１２１ａと受光素子１３１ａの光軸Ｌ１が遮蔽されることはない。しかも、侵入を阻止された潤滑剤６は、へら部１４２と基部１４１の間の隙間Ｓ１４に好適に収容されるから、他部分に溢れ出すこともない。
【００３７】
パッキン部１４ａ，１４ｂの効果はこれに留まらない。パッキン部１４ａ，１４ｂは、仮に、転てつ機側の案内部などから、潤滑剤６が装置内に侵入してしまった場合においても有効である。
【００３８】
すなわち、パッキン部１４ａ，１４ｂは、へら部１４２が鎖錠桿案内部１５３ａのほうへと傾斜しているため、図９に示されるように、鎖錠桿４ａが装置から進出するとき（方向ｄ１参照）、弾性変形により、鎖錠桿４ａの側面４３に蓄積された潤滑剤６を装置外に排出する。ここで、弾性変形を容易にするため、へら部１４２は、その厚みが先端１４３に向かって減少するように形成されると好適である。ここまで述べた作用効果は、図面との関係上、パッキン部１４ａについて示されているが、他方のパッキン部１４ｂについても同様であることは言うまでもない。さらに、本実施形態では、パッキン部１４ａ，１４ｂを鎖錠桿４ａ，４ｂの側面４３と対向する壁面に設けるようにしたが、これに加えて、鎖錠桿４ａ，４ｂの上面に対向する壁面にもパッキン部を設けても良い。
【００３９】
これまで述べたように、本発明に係るロック狂い検出装置１は、転てつ機２の鎖錠桿４ａ，４ｂが出入りする鎖錠桿案内部１５３ａ，１５４ｂと、鎖錠桿４ａ，４ｂに取り付けられた移動スリット保持体４２ａ，４２ｂとともにロック狂いの検出に用いられる固定スリット保持体１１ａ，１１ｂの間に、特徴的なパッキン部１４ａ，１４ｂが設けられている。
【００４０】
まず、このパッキン部１４ａ，１４ｂの先端１４３は、鎖錠桿４ａ，４ｂの進入ごとに鎖錠桿４ａ，４ｂの表面４３を擦るため、鎖錠桿４ａ，４ｂの表面に塗布されたグリースなどの潤滑剤６は、パッキン部１４ａ，１４ｂに遮られて、固定スリット保持体１１ａ，１１ｂ、または移動スリット保持体４２ａ，４２ｂが設けられた領域へ侵入することができない。
【００４１】
また、パッキン部１４ａ，１４ｂは、弾性を備え、先端１４３を鎖錠桿案内部１５３ａ，１５４ｂへ向けて傾斜しているから、仮に、潤滑剤６が、例えば転てつ機側の案内部から内部に侵入したとしても、鎖錠桿４ａ，４ｂの進出時に、パッキン部１４ａ，１４ｂが潤滑剤を鎖錠桿案内部１５３ａ，１５４ｂへと導くように弾性変形して、この鎖錠桿案内部１５３ａ，１５４ｂを介して潤滑剤６を外部へと排出することができる。
【００４２】
したがって、本発明に係るロック狂い検出装置１によれば、潤滑剤６が固定スリット保持体１１ａ，１１ｂ、または移動スリット保持体４２ａ，４２ｂのスリットＳ１１，Ｓ４２を塞ぐことを抑制し、誤検出を防止し得る。
【００４３】
以上、好ましい実施例を参照して本発明の内容を具体的に説明したが、本発明の基本的技術思想及び教示に基づいて、当業者であれば、種々の変形態様を採り得ることは自明である。
【符号の説明】
【００４４】
１                                          ロック狂い検出装置
１１ａ，１１ｂ                              固定スリット保持体
１４ａ，１４ｂ                              パッキン部
１４１                                      基部
１４２                                      へら部
１４３                                      先端
２                                          転てつ機
４ａ，４ｂ                                  鎖錠桿
４２ａ，４２ｂ                              移動スリット保持体
１５３ａ，１５３ｂ，１５４ａ，１５４ｂ      鎖錠桿案内部
【図１】
0005750285.tif 000002
【図２】
0005750285.tif 000003
【図３】
0005750285.tif 000004
【図４】
0005750285.tif 000005
【図５】
0005750285.tif 000006
【図６】
0005750285.tif 000007
【図７】
0005750285.tif 000008
【図８】
0005750285.tif 000009
【図９】
0005750285.tif 000010